(57)【特許請求の範囲】
【請求項１】
近用視標を呈示する視標呈示ユニットと、該視標呈示ユニットがスライド可能に取り付けられる近用棒と、該近用棒を保持する保持部と、を有する検眼装置において、
前記近用棒は、その表面に距離を表す複数種類の単位の目盛が別個に付された距離表示部と、前記近用棒が前記保持部に保持されるための基部であって，前記距離表示部の向きを変更可能に前記保持部に保持されるための位置決め部を備える基部と、
を有する、
ことを特徴とする検眼装置。
【請求項２】
請求項１の検眼装置において、
前記距離表示部は、種類の異なる単位の目盛と，該目盛を読み取るための数値と，が付された面を複数有し、
前記位置決め部は、前記数値の何れかを読み取り可能とするために、前記近用棒が回転され前記面の向きが変えられた状態で前記保持部に保持できる形状となっている、
ことを特徴とする検眼装置。
【請求項３】
請求項１又は２の検眼装置において、
前記距離表示部は、第１の単位の目盛及び数値が付された第１面と、
第１の単位の目盛及び数値が付され，前記第１面とは異なる面である第２面と、
第１の単位とは異なる第２の単位の目盛及び数値が付され，前記第１面及び第２面とは異なる面である第３面と、
第２の単位の目盛及び数値が付され，前記第１〜第３面とは異なる面である第４面と、
を含む、ことを特徴とする検眼装置。
【請求項４】
請求項３の検眼装置において、
前記距離表示部では、
前記第１面と前記第３面とは前記近用棒の中心軸に対して互いに反対側に配置されており、前記第１面に付された第１の単位の数値と前記第３面に付された第２の単位の数値とは上下反転して付されており、
前記第２面と前記第４面とは前記中心軸に対して互いに反対側に配置されており、前記第２面に付された第１の単位の数値と前記第４面に付された第２の単位の数値とは上下反転して付されている、
ことを特徴とする検眼装置。
【発明の詳細な説明】
【技術分野】
【０００１】
本発明は、被検者眼の近用視力等を自覚的に検査（測定）するための検眼装置に関する。
【背景技術】
【０００２】
検査窓がそれぞれ設けられた左右一対のレンズ室ユニットを有する自覚式の検眼装置（フォロプタ，レフラクタ）が知られている。このような装置では、装置から前側（被検者のいる側とは反対側）に延びる近用棒（近点棒）に近用視標が印字された視標板（視標呈示ユニット）が取り付けられて近用検査が行われる。視標板は、近用棒の軸方向に移動可能に取り付けられる（特許文献１参照）。
【先行技術文献】
【特許文献】
【０００３】
【特許文献１】特開平１０―２７２０９９号公報
【発明の概要】
【発明が解決しようとする課題】
【０００４】
近用棒には、検眼装置からの距離を示す目盛及び数値が表示され（付され）ており、検者は、この目盛及び数値を読み取る（確認する）ことにより、移動した視標板の位置を把握し、被検者眼の屈折力、調節力、等の検査（測定）に利用する。近用棒の目盛及び数値は、地域毎に異なっており、例えば、センチメートル（以下、センチ）単位の目盛等やインチ単位の目盛等がある。これら２種類（複数種類）の目盛及び数値の表示に対応するためには、以下のような手法がある。一つ目は、近用棒の一方の側面にセンチ単位の目盛等を表示し，他方（反対）の側面にインチ単位の目盛等を表示する手法である。しかし、この場合、センチ単位の目盛等もインチ単位の目盛等も近用棒に対して片側からしか読み取れない（確認できない）。装置に対して検者が立つ位置は、装置の設置環境、検者の利き手、等によって変わる。このため、このような近用棒の目盛及び数値の表示では使い勝手が悪い場合がある。二つ目は、近用棒の両側にセンチ単位の目盛等とインチ単位の目盛等との両方を重ねて表示する手法である。しかし、この場合、目盛等の色を変える等しても、目盛等を読み違えてしまう惧れがある。また、そもそも近用棒は細い棒であるため、２種類（複数種類）の目盛等を重ねて表示すると判読し難い。三つ目は、センチ単位の目盛等が表示された近用棒とインチ単位の目盛等が表示された近用棒との２種類（複数種類）の近用棒を用意し，センチ単位の目盛等をセンチ用近用棒の両側に表示し，インチ単位の目盛等をインチ用近用棒の両側に表示し，装置を出荷する地域に応じて付け替える手法である。しかし、２種類（複数種類）の近用棒を用意することは、コスト高となってしまう。また、装置の出荷時に近用棒の種類を間違えてしまう惧れがある。
【０００５】
本発明は、上記従来技術の問題点に鑑み、コストを抑えつつ，また，設置環境に拘らず，地域によって異なる単位の目盛及び数値が表示された近用棒を有して視標板（視標呈示ユニット）の位置が確認し易い検眼装置を提供することを技術課題とする。
【課題を解決するための手段】
【０００６】
本発明は、上記課題を解決するために、以下の構成を有することを特徴とする。
（１）  近用視標を呈示する視標呈示ユニットと、該視標呈示ユニットがスライド可能に取り付けられる近用棒と、該近用棒を保持する保持部と、を有する検眼装置において、前記近用棒は、その表面に距離を表す複数種類の単位の目盛が別個に付された距離表示部と、前記近用棒が前記保持部に保持されるための基部であって，前記距離表示部の向きを変更可能に前記保持部に保持されるための位置決め部を備える基部と、を有する、ことを特徴とする。
（２）  （１）の検眼装置において、前記距離表示部は、種類の異なる単位の目盛と，該目盛を読み取るための数値と，が付された面を複数有し、前記位置決め部は、前記数値の何れかを読み取り可能とするために、前記近用棒が回転され前記面の向きが変えられた状態で前記保持部に保持できる形状となっている、ことを特徴とする。
（３）  （１）又は（２）の検眼装置において、前記距離表示部は、第１の単位の目盛及び数値が付された第１面と、第１の単位の目盛及び数値が付され，前記第１面とは異なる面である第２面と、第１の単位とは異なる第２の単位の目盛及び数値が付され，前記第１面及び第２面とは異なる面である第３面と、第２の単位の目盛及び数値が付され，前記第１〜第３面とは異なる面である第４面と、を含む、ことを特徴とする。
（４）  （３）の検眼装置において、前記距離表示部では、前記第１面と前記第３面とは前記近用棒の中心軸に対して互いに反対側に配置されており、前記第１面に付された第１の単位の数値と前記第３面に付された第２の単位の数値とは上下反転して付されており、前記第２面と前記第４面とは前記中心軸に対して互いに反対側に配置されており、前記第２面に付された第１の単位の数値と前記第４面に付された第２の単位の数値とは上下反転して付されている、ことを特徴とする。
【発明の効果】
【０００７】
本発明によれば、コストを抑えつつ、また、設置環境に拘らず、地域によって異なる単位の目盛及び数値が表示された近用棒を有することにより、視標板（視標呈示ユニット）の位置が確認し易くできる。
【発明を実施するための形態】
【０００８】
以下、本発明の実施の形態を図面に基づいて説明する。図１は、本実施形態の検眼装置１００の概略構成図である。自覚的に被検者眼の視力等の視機能を検査するための検眼装置１００は、左右対称な一対のレンズ室ユニット５０Ｌ及び５０Ｒ（左レンズ室ユニット５０Ｌ，右レンズ室ユニット５０Ｒ）と、レンズ室ユニット５０Ｌ及び５０Ｒを吊下げ支持する支持ユニット５１と、を備えており、アーム１０によって支持されている。レンズ室ユニット５０Ｌ及び５０Ｒ内には、球面レンズ、円柱レンズ、偏光板等の補助レンズ、等の多数の光学素子が同一円周上に配置されたレンズディスクが回転可能に保持されており、レンズ室ユニット５０Ｌ及び５０Ｒに設けられた検査窓５２Ｌ及び５２Ｒ（左検査窓５２Ｌ，右検査窓５２Ｒ）に光学素子が切換え配置される。検査窓５２Ｌ及び５２Ｒに配置される光学素子の切換え等は、コントローラ（操作ユニット）６０の操作によって行われる。また、支持ユニット５１は、被検者の瞳孔間距離に合わせて左検査窓５２Ｌと右検査窓５２Ｒとの間隔を変えるためのレンズ室ユニット５０Ｌ及び５０Ｒの間隔調節機構（輻輳機構を含む）を備えている。
【０００９】
近用視標（近用チャート）を呈示するための視標呈示ユニット４０は、近用棒（近点棒）２０に吊り下げられる。近用棒２０は、支持ユニット５１の中央に設けられた保持部５５によって保持され、検眼装置１００から前側（被検者のいる側とは反対側）に延設される。
【００１０】
本実施形態の視標呈示ユニット４０は、呈示窓４２が設けられたケース４１と、視標ディスク４３と、ケース４１を保持するホルダ４４と、を備えている。複数種類の近用視標が表示（印字）された視標ディスク４３は、ケース４１中央のピン４５を中心に回転可能にケース４１内に収納されている。ケース４１からは視標ディスク４３の一部が露出しており、その露出部分を持って視標ディスク４３を回転することにより、呈示窓４２に所期する近用視標が配置される。ホルダ４４は、視標呈示ユニット４０を近用棒２０に取り付けると共に、視標呈示ユニット４０が近用棒２０にスライド可能（近用棒２０の軸方向に移動可能）に支持されるための機能を持つ。なお、ホルダ４４の構成には、特開２００４−２０２０５２号公報の技術が利用できる。また、視標呈示ユニット４０は、近用視標が単に印字された視標板であってもよいし、近用視標を表示する薄型の液晶ディスプレイのようなものであってもよい。
【００１１】
本実施形態の近用棒２０は、細い六角柱の棒状部材であり、保持部５５によって保持される略円筒状の基部２１と、視標呈示ユニット４０を支持する支持部材を兼ねる六角柱の棒状の距離表示部３０と、を備えている（図２参照）。距離表示部３０には、レンズ室ユニット５０Ｌ及び５０Ｒ（支持ユニット５１）から視標呈示ユニット４０までの距離（視標呈示距離）を確認するための目盛が表示（印字）されている。詳細は後述するが、本実施形態の距離表示部３０には、異なる単位系（本実施形態では、センチメートル（以下、センチ）単位とインチ単位との２種類）に対応した目盛が付されている。また、この距離表示部３０は、検者が近用棒２０の左側（矢印Ｌ側）及び右側（矢印Ｒ側）のどちら側から見ても、どちらの単位系の目盛を確認できる構成を備えている。
【００１２】
近用棒２０の詳細について説明する。図２は、近用棒２０の概略外観図である。図３は、近用棒２０の部分的な側面図であり、図３（ａ）は、図２の矢印Ｒ側から見た図であり、図３（ｂ）は、図２の矢印Ｌ側から見た図である。図４は、近用棒２０を後側（基部２１側）から見た図である。
【００１３】
近用棒２０は、基部２１側を基端とし、基部２１の先端（基端）側から反対側の先端である近用棒２０の先端までが７０センチメートル程度の長さの距離表示部３０と基部２１とが一体的に成形された部材である。距離表示部３０は、本実施形態では、目盛が付された面（六角柱の面のうちの４つの面：第１面３１〜第４面３４）を備えている。第１面３１は、センチ単位の目盛３１ａと、目盛３１ａの位置を示す数値であって右側（矢印Ｒ側）から見て読み取れる向きに付された数値３１ｂと、を備えている。第２面３２は、センチ単位の目盛３２ａと、目盛３２ａの位置を示す数値であって左側（矢印Ｌ側）から見て読み取れる向きに付された数値３２ｂと、を備えている。第１面３１と第２面３２とは、六角柱において隣接して配置されている。図３（ａ）に示すように、第２面３２は、第１面３１が読み取れる向きから見ると、目盛３２ａは目盛３１ａと同じであるが、数値３２ｂは数値３１ｂに対して上下反転している。
【００１４】
一方、第３面３３は、インチ単位の目盛３３ａと、目盛３３ａの位置を示す数値であって右側（矢印Ｒ側）から見て読み取れる向きに付された数値３３ｂと、を備えている。また、第３面３３は、ディオプタを確認するための目盛３３ｃと、右側（矢印Ｒ側）から見て読み取れる向きに付された数値３３ｄと、を備えている。第４面３４は、インチ単位の目盛３４ａと、目盛３４ａの位置を示す数値であって左側（矢印Ｌ側）から見て読み取れる向きに付された数値３４ｂと、を備えている。また、第４面３４は、ディオプタを確認するための目盛３４ｃと、左側（矢印Ｌ側）から見て読み取れる向きに付された数値３４ｄと、を備えている。第３面３３と第４面３４とは、六角柱において隣接して配置されている。図３（ｂ）に示すように、第３面３３は、第４面３４が読み取れる向きから見ると、目盛３３ａ（３３ｃ）は目盛３４ａ（３４ｃ）と同じであるが、数値３３ｂ（３３ｄ）は数値３４ｂ（３４ｄ）に対して上下反転している。
【００１５】
基部２１は、保持部５５によって近用棒２０が保持される際に、近用棒２０の向きを固定するための位置決め部である凹部２２及び２３を備えている。凹部２２及び２３は、基部２１の中心軸に対して互いに反対側に設けられている。
【００１６】
第１面３１〜第４面３４の配置関係は、図４に示すように、第１面３１と第３面３３とは、近用棒２０の中心軸に対して互いに反対側に設けられている。同様に、第２面３２と第４面３４とは、近用棒２０の中心軸に対して互いに反対側に設けられている。第１面３１〜第４面３４と凹部２２及び２３（の各底面）との関係は、次のように定められている。すなわち、凹部２２及び２３（の各底面）と、第１面３１と第２面３２との境界線Ａと第３面３３と第４面３４との境界線Ｂとを通る平面Ｈと、が略平行となっている。これにより、保持部５５によって近用棒２０が保持されたときに、凹部２２及び２３のどちらがネジ止めされても、平面Ｈが水平となるように近用棒２０の向きが位置決めされる。
【００１７】
次に、保持部５５の構成と近用棒２０の保持（固定）とについて説明する。図５は、保持部５５によって近用棒２０が保持された状態を示す横断面図である。図示するように、保持部５５の内筒部５５ａの中に基部２１が収められる（奥まで挿入される）。この状態で、ネジ５５ｂが締められて下がると、ネジ５５ｂのネジ頭と凹部２２又は２３とが当接（係合）し、基部２１がネジ５５ｂに押さえられて基部２１の向きが決められる。凹部２２が上向きである場合、第１面３１（数値３１ｂ）が右側（矢印Ｒ側）から見て読み取れる向きとなり、第４面３４（数値３４ｂ）が左側（矢印Ｌ側）から見て読み取れる向きとなる。また、凹部２３が上向きである場合、第３面３３（数値３３ｂ）が右側（矢印Ｒ側）から見て読み取れる向きとなり、第２面３２（数値３２ｂ）が左側（矢印Ｌ側）から見て読み取れる向きとなる。
【００１８】
なお、図５では、ネジを上側から締めて近用棒２０（基部２１）を保持部５５に固定するものとしたが、ネジを下側から締めて近用棒２０（基部２１）を保持部５５に固定してもよいし、ネジを上下両側や左右両側から締めて近用棒２０（基部２１）を保持部５５に固定してもよい。すなわち、ネジ止めの位置は特に限定されるものではない。
【００１９】
また、ネジの代わりにボールバネ５７によって基部２１が保持（位置決め）されるようにしてもよい（図６参照）。このボールバネの位置も特に限定されるものではない。また、ボールバネによって近用棒２０（基部２１）を保持する場合は、ボールバネは、近用棒２０及び視標呈示ユニット４０の重みで抜け落ちないようなバネ力を持つものとする。
【００２０】
保持部５５によって保持された近用棒２０は、ピン５５ｃの中心に回転して上側に跳ね上げ可能である。これにより、視標呈示ユニット４０等は、遠用検査のときには、被検者眼の視界から退避される。
【００２１】
以上のような構成を有する装置において、近用検査を行う場合について説明する。なお、以下では、検者は、センチ単位で近用棒２０上の視標呈示ユニット４０の位置を確認するものとし、検眼装置１００の右側（矢印Ｒ側）に立つ（位置する）ものとする。検者は、検査に先立って、視標呈示ユニット４０等の設置等を行う。先ず、凹部２２を上向きにして基部２１を保持部５５（内筒部５５ａ）に挿入する。次に、ネジ５５ｂを締めることにより、保持部５５によって近用棒２０を保持させる。そして、視標呈示ユニット４０のホルダ４４をロッド２０に挿通させる。このようにして、視標呈示ユニット４０等の設置等が完了される。
【００２２】
次に、検者は、コントローラ６０を操作し、被検者眼の屈折力を検査（測定）する。そして、被検者眼に応じた矯正レンズを検査窓５２Ｒ及び５２Ｌに配置する。近用検査を行う場合、検者は、被検者の瞳孔間距離等に合わせて、左右のレンズ室ユニット５０Ｌ及び５０Ｒの間隔等を調節する。また、近用棒２０を水平にし、視標呈示ユニット４０を被検者の前方に配置する。検者は、近用棒２０に対してホルダ４４をスライドさせ、視標呈示ユニット４０を被検者眼の前方５０ｃｍあたりから被検者眼側にゆっくりと近づけていき、被検者眼に視標ディスク４３の近用視標を見せる。そして、被検者が近用視標のぼけを自覚したら（被検者眼に近用視標がぼけて見えるようになったら）視標呈示ユニット４０の移動を停止し、このときの視標呈示ユニット４０の位置（呈示距離）を第１面３１に付された目盛３１ａ及び数値３１ｂから読み取る(確認する)。これを基に被検者眼の調節力が求められる。
【００２３】
一方、検眼装置１００の右側（矢印Ｒ側）に検者が立ち（位置し）、インチ単位で近用棒２０上の視標呈示ユニット４０の位置を確認する場合は、凹部２３を上向きにして基部２１を保持部５５に挿入してネジ５５ｂを締め、保持部５５によって近用棒２０を保持させる。これにより、近用検査の際、検者は、前述の場合と同様の手順で視標呈示ユニット４０を動かし、視標呈示ユニット４０の位置を第３面３３に付された目盛３３ａ及び数値３３ｂから読み取る（確認する）。
【００２４】
なお、検眼装置１００の左側（矢印Ｌ側）から目盛等を読み取る（確認する）場合は、以下のようにする。センチ単位の場合、凹部２３を上向きにして保持部５５によって近用棒２０を保持させ、第２面３２に付された目盛３２ａ及び数値３２ｂを読み取れるようにする。インチ単位の場合、凹部２２を上向きにして保持部５５によって近用棒２０を保持させ、第４面３４に付された目盛３４ａ及び数値３４ｂを読み取れるようにする。
【００２５】
以上のようにして、検者が検眼装置１００のどちら側に立って（位置して）近用検査を行っても、視標呈示ユニット４０の位置をセンチ単位でもインチ単位でも確認できる。言い換えると、設置環境に拘らず，地域によって異なる単位の目盛及び数値が確認し易くできる。近用棒２０によって上記の対応ができることにより、センチ単位に対応した近用棒とインチ単位に対応した近用棒とを用意する必要がなく、コストを抑制できる。
【００２６】
なお、本発明は、以下の変容が可能である。図７は、近用棒の変容例を説明する図であり、図７（ａ）は、右側（矢印Ｒ側）から見た側面図であり、図７（ｂ）は、後側（基部側）から見た図である。
【００２７】
近用棒７０は、基部７１と距離表示部８０とを備えている。基部７１は、位置決め部７２を備えている。距離表示部８０は、近用棒２０（距離表示部３０）と同様に、六角柱の面に第１面〜第４面を備えている。図７（ａ）に示すように、近用棒７０（距離表示部８０）は、センチ単位の目盛８１ａ及び数値８１ｂが付された第１面８１と、インチ単位の目盛８３ａ及び数値８３ｂが付された第３面８３と、が隣接して配置されている。第１面８１の数値８１ｂと第３面８３の数値８３ｂとは、共に右側（矢印Ｒ側）から見て読み取れる向きとなっている。また、図示は略すが、センチ単位の目盛及び数値が付された第２面とインチ単位の目盛及び数値が付された第４面とが、隣接して配置されている。第２面の数値と第４面の数値とは、左側（矢印Ｌ側）から見て読み取れる向きとなっている。
【００２８】
位置決め部７２は、図７（ｂ）に示すように、距離表示部８０の六角柱の面に合うように六角柱とされている。これにより、第１面８１及び第３面８３のいずれの面も右上側から見て読み取れる向きにすることができ、また、第２面及び第４面のいずれの面も左上側から見て読み取れる向きにすることができる。
【００２９】
なお、以上の説明では、第１面〜第４面の目盛及び数値は、近用棒（距離表示部）に印字されている構成としたが、近用棒（距離表示部）に目盛等が印字されたシールが貼り付けられている構成としてもよい。
【００３０】
また、以上の説明では、近用棒を六角柱の棒状部材としたが、多角柱（例えば、四角柱）又は円柱の棒状部材であってもよい。この場合、多角柱の面の数は、近用棒を右側、左側から確認することを考慮すると、偶数であることが好ましい。
【図面の簡単な説明】
【００３１】
【図１】本実施形態の検眼装置の概略構成図である。
【図２】近用棒の概略外観図である。
【図３】近用棒の部分的な側面図である。
【図４】近用棒を後側（基部側）から見た図である。
【図５】保持部によって近用棒が保持された状態を示す横断面図である。
【図６】保持部の変容例を説明する図である。
【図７】近用棒の変容例を説明する図である。
【符号の説明】
【００３２】
２０  近用棒
２１  基部
３０  距離表示部
３１  第１面
３２  第２面
３３  第３面
３４  第４面
４０  視標呈示ユニット
５０Ｌ，５０Ｒ  レンズ室ユニット
５５  保持部
７０  近用棒
１００  検眼装置
【図１】
0005522633.tif 000002
【図２】
0005522633.tif 000003
【図３】
0005522633.tif 000004
【図４】
0005522633.tif 000005
【図５】
0005522633.tif 000006
【図６】
0005522633.tif 000007
【図７】
0005522633.tif 000008